(57)【要約】【課題】プリンタヘッド内蔵のディスク装置に挿入された光記録媒体のラベル面に、そのプリンタヘッドで印刷可能であるか否かを、より簡易な構成でより確実に判別する。【解決手段】ディスク装置３０を、プリンタヘッド３１と、検出部３３と、判別部３６とを備える構成とする。検出部３３は、装着された光記録媒体１０の媒体フォーマット内の媒体メーカーが自由に使用可能な領域に記録されたプリンタヘッド３１でラベル印刷が可能であるか否かを示す第１情報を検出する。また、検出部３３は、媒体フォーマット内の所定領域に記録された媒体メーカーに関する第２情報を検出する。そして、判別部３６は、検出部３３で検出した第１及び第２情報に基づいて、装着された光記録媒体１０にプリンタヘッド３１でラベル印刷が可能であるか否かを判別する。【選択図】図３
2010277622.tif 000002
【特許請求の範囲】
【請求項１】
プリンタヘッドと、
装着された光記録媒体の媒体フォーマット内の媒体メーカーが自由に使用可能な領域に記録された前記プリンタヘッドでラベル印刷が可能であるか否かを示す第１情報、及び、前記媒体フォーマット内の所定領域に記録された前記媒体メーカーに関する第２情報を検出する検出部と、
前記検出部で検出した前記第１及び第２情報に基づいて、前記装着された光記録媒体に前記プリンタヘッドでラベル印刷が可能であるか否かを判別する判別部と
を備えるディスク装置。
【請求項２】
前記プリンタヘッドが、サーマルプリンタヘッドである
請求項１に記載のディスク装置。
【請求項３】
さらに、前記光記録媒体を回転駆動する回転駆動部を備え、
前記検出部が、回転駆動された前記光記録媒体に光照射して情報の記録及び再生の少なく一方を行う光ピックアップを有し、前記光ピックアップにより前記第１及び第２情報を検出する
請求項１に記載のディスク装置。
【請求項４】
媒体メーカーが自由に使用可能であり且つ所定のプリンタヘッドでラベル印刷が可能であることを示す情報が記録されている第１領域と、前記媒体メーカーに関する情報が記録されている第２領域とを含み、前記所定のプリンタヘッドでラベル印刷が可能であるか否かの判別に前記第１及び第２領域に記録されている情報が用いられる媒体フォーマットを有する光記録媒体本体と、
前記光記録媒体本体の一方の表面上に形成され、前記所定のプリンタヘッドでラベル印刷が可能であるラベル印刷層と、
を備える光記録媒体。
【請求項５】
前記光記録媒体が青色光により追記可能または書き換え可能な媒体であり、前記第１領域が、前記媒体フォーマット内のディスクインフォメーション領域の第１１１バイト目の領域であり、第２領域が、前記ディスクインフォメーション領域の第１００バイト目から第１０５バイト目の領域である
請求項４に記載の光記録媒体。
【請求項６】
媒体メーカーが自由に使用可能であり且つ所定のプリンタヘッドでラベル印刷が可能であるか否かを示す情報が記録されている第１領域、及び、前記媒体メーカーに関する情報が記録されている第２領域を含む媒体フォーマットを有する光記録媒体と、
前記所定のプリンタヘッド、前記第１及び第２領域に記録された情報を検出する検出部、並びに、前記検出部で検出した前記第１及び第２領域に記録された情報に基づいて前記光記録媒体に前記所定のプリンタヘッドでラベル印刷が可能であるか否かを判別する判別部を有するディスク装置と
を備えるラベル印刷システム。
【請求項７】
媒体メーカーが自由に使用可能であり且つ所定のプリンタヘッドでラベル印刷が可能であるか否かを示す情報が記録されている第１領域、及び、前記媒体メーカーに関する情報が記録されている第２領域を含む媒体フォーマットを有する光記録媒体を前記所定のプリンタヘッドを備えるディスク装置に装着するステップと、
装着された前記光記録媒体の前記第１及び第２領域に記録されている情報を読み出すステップと、
読み出した前記第１及び第２領域の情報に基づいて、装着された前記光記録媒体に対して前記所定のプリンタヘッドでラベル印刷が可能であるか否かを判定するステップと、
前記判定するステップで、前記光記録媒体に対して前記所定のプリンタヘッドでラベル印刷が可能であると判定された場合に、前記光記録媒体に所定のラベル柄を印刷するステップと
を含むラベル印刷方法。
【発明の詳細な説明】
【技術分野】
【０００１】
本発明は、ラベル印刷が可能な光記録媒体、それにラベル印刷を行うディスク装置、及びラベル印刷システム、並びに、ラベル印刷方法に関する。
【背景技術】
【０００２】
従来、ＣＤ（Compact Disc）、ＤＶＤ（Digital Versatile Disc）、ＢＤ（Blu-ray Disc：登録商標）等の種々の光ディスクが開発されている。これらの光ディスクの多くは、光ディスクに記録されている情報の内容に関するタイトルや記録の日付等が印刷可能なラベル（レーベル）面を備えている。このようなラベル面への印刷及びラベル面の構成等に関して、従来、様々な技術が提案されている（例えば、特許文献１〜３を参照）。
【０００３】
特許文献１には、光記録媒体の例えばリードイン領域に、該光記録媒体が印刷可能であるか否かの情報を記録し、その情報に基づいて、光記録媒体が印刷可能であるか否かを判別する技術が提案されている。
【０００４】
特許文献２には、共通デザインと個別タイトルの両方を効率的にラベル面に表示するための技術が提案されている。具体的には、光ディスクのラベル面において、インクジェットプリンタで印刷可能な領域に対して所定の位置にセンサで検知可能なマーク部分を設ける。そして、このマーク部分を検知することにより光ディスクに描かれた任意のデザインの方向を認識し、任意のデザインに対して特定の位置（インクジェットプリンタで印刷可能な領域）に印字を行う。
【０００５】
また、特許文献３には、ラベル面に磁性体を含有させ、ラベル面を使って所望のデータの磁気記録または磁気再生を行う技術が記載されている。
【先行技術文献】
【特許文献】
【０００６】
【特許文献１】特開２００７−３０５１９０号公報
【特許文献２】特開２０００−４０２６４号公報
【特許文献３】特許第３５６６１２１号公報
【発明の概要】
【発明が解決しようとする課題】
【０００７】
上述したインクジェットプリンタを用いて光ディスクのラベル面に印刷を行う場合、一般には、インクジェット印刷に適した材料がラベル面に塗布された光ディスクに、別途準備したインクジェットプリンタを使ってラベル印刷を行う。この際、ラベル柄はコンピュータ装置等で編集し、その編集したラベル柄をコンピュータ装置等とプリンタとを接続して印刷する方法が一般的である。しかしながら、この方法では、別途プリンタを準備する必要があり、また、光ディスクの内容を別途、プレーヤーやレコーダ等のディスク装置で再生して確認しなければならない。
【０００８】
それに対し、従来、サーマルプリンタヘッドが内蔵されたレコーダやプレーヤー等のディスク装置を用いて、光ディスクにラベル印刷を行うシステムが開発されている。図６に、そのシステムの一例の概略構成図を示し、図７（ａ）及び（ｂ）に、そのシステムの動作の様子を示す。なお、図７（ａ）及び（ｂ）中には、主に、ラベル印刷に必要な構成を示し、レコーダやプレーヤー等の機能を果たす構成は図示していない。また、このようなシステムで用いられる光ディスク２００には、加熱することにより発色する発色層が光ディスク２００のラベル面に設けられる（貼りつけられる）。このようなシステムの具体的な動作は次の通りである。
【０００９】
まず、光ディスク２００をディスク挿入口１０１を介してディスク装置１００に挿入する（図６の状態）。そして、ラベル印刷時には、光ディスク２００をディスク装置１００から排出する方向に移動させながら、サーマルプリンタヘッド１０２により、光ディスク２００のラベル層２０１に所定のラベル柄２０９（画像、文字等）を印刷する（図７の状態）。なお、この際、光ディスク２００は、ディスク装置１００内のローラー（不図示）等により搬送される。
【００１０】
上述のラベル印刷システムでは、レコーダあるいはプレーヤー等の機能を有するディスク装置１００にサーマルプリンタヘッド１０２が内蔵されているので、光ディスク２００をディスク装置１００から取り出さずにラベル印刷を行うことができる。また、このシステムでは、ディスク装置１００でコンテンツを確認しながら印刷ができるなど多くの長所がある。
【００１１】
しかしながら、上述のラベル印刷システムにおいて、ディスク装置１００に例えばインクジェット印画用の光ディスクを挿入した場合、誤ってその光ディスクにサーマルプリンタヘッド１０２でラベル印刷を行う可能性がある。インクジェット印画用の光ディスクをサーマルプリンタヘッド１０２で加熱した場合、ラベル印刷ができないだけでなく、加熱したことにより光ディスクのインクジェット印刷面が破壊されてしまうという問題が生じる。このようなラベル印刷時の誤動作の問題を解消するためには、プリンタヘッド内蔵のディスク装置に挿入された光記録媒体のラベル面に、そのプリンタヘッドで印刷可能であるか否かをより確実に判別できる技術が必要となる。
【００１２】
本発明は上記問題に鑑みてなされたものであり、本発明の目的は、次の通りである。プリンタヘッド内蔵のディスク装置に挿入された光記録媒体のラベル面に、そのプリンタヘッドで印刷可能であるか否かをより簡易な構成でより確実に判別することのできるディスク装置、光記録媒体、ラベル印刷システム及びラベル印刷方法を提供する。
【課題を解決するための手段】
【００１３】
上記問題を解決するために、本発明のディスク装置は、プリンタヘッドと、検出部と、判別部とを備える構成とし、各部の機能は次の通りとする。検出部は、装着された光記録媒体の媒体フォーマット内の媒体メーカーが自由に使用可能な領域に記録されたプリンタヘッドでラベル印刷が可能であるか否かを示す第１情報を検出する。また、検出部は、媒体フォーマット内の所定領域に記録された媒体メーカーに関する第２情報を検出する。また、判別部は、検出部で検出した第１及び第２情報に基づいて、装着された光記録媒体にプリンタヘッドでラベル印刷が可能であるか否かを判別する。
【００１４】
本発明の光記録媒体は、光記録媒体本体と、光記録媒体本体の一方の表面上に形成され、所定のプリンタヘッドでラベル印刷が可能であるラベル印刷層とを備える構成とする。光記録媒体本体は、媒体メーカーが自由に使用可能であり且つ所定のプリンタヘッドでラベル印刷が可能であることを示す情報が記録されている第１領域と、媒体メーカーに関する情報が記録されている第２領域とを含む媒体フォーマットを有する。そして、本発明では、所定のプリンタヘッドでラベル印刷が可能であるか否かの判別に第１及び第２領域に記録されている情報を用いる。
【００１５】
また、本発明のラベル印刷システムは、光記録媒体と、ディスク装置とを備える構成とする。光記録媒体は、媒体メーカーが自由に使用可能であり且つ所定のプリンタヘッドでラベル印刷が可能であるか否かを示す情報が記録されている第１領域、及び、媒体メーカーに関する情報が記録されている第２領域を含む媒体フォーマットを有する。一方、ディスク装置は、所定のプリンタヘッド、第１及び第２領域に記録された情報を検出する検出部、並びに、判別部を有する。そして。判別部は、検出部で検出した第１及び第２領域に記録された情報に基づいて光記録媒体に所定のプリンタヘッドでラベル印刷が可能であるか否かを判別する。
【００１６】
さらに、本発明のラベル印刷方法では、次の手順で光記録媒体にラベル印刷を行う。まず、光記録媒体を所定のプリンタヘッドを備えるディスク装置に装着する。なお、装着する光記録媒体は、媒体メーカーが自由に使用可能であり且つ所定のプリンタヘッドでラベル印刷が可能であるか否かを示す情報が記録されている第１領域、及び、媒体メーカーに関する情報が記録されている第２領域を含む媒体フォーマットを有する。次いで、装着された光記録媒体の第１及び第２領域に記録されている情報を読み出す。次いで、読み出した第１及び第２領域の情報に基づいて、装着された光記録媒体に対して所定のプリンタヘッドでラベル印刷が可能であるか否かを判定する。そして、この判定するステップで、光記録媒体に対して所定のプリンタヘッドでラベル印刷が可能であると判定された場合に、光記録媒体に所定のラベル柄を印刷する。
【発明の効果】
【００１７】
上述のように、本発明では、光記録媒体がディスク装置に内蔵されたプリンタヘッドでラベル印刷が可能であるか否かを判別する際、そのプリンタヘッドでラベル印刷が可能であるか否かを示す第１情報だけでなく、媒体メーカーに関する第２情報も用いる。それゆえ、本発明によれば、ディスク装置に挿入された光記録媒体のラベル面に、ディスク装置に内蔵されたプリンタヘッドで印刷可能であるか否かを、より簡易な構成でより確実に判別することができる。
【図面の簡単な説明】
【００１８】
【図１】図１（ａ）は、本発明の一実施形態に係る光記録媒体の概略上面図であり、図１（ｂ）は、図１（ａ）中のＡ−Ａ断面図である。
【図２】光記録媒体のディスクインフォメーション領域のフォーマット構成例を示す図である。
【図３】本発明の一実施形態に係るディスク装置及びラベル印刷システムのブロック構成図である。
【図４】判別部の構成例を示す図である。
【図５】本発明の一実施形態に係るラベル印刷方法の手順を示すフローチャートである。
【図６】従来のラベル印刷システムの概略構成図である。
【図７】図７（ａ）及び（ｂ）は、従来のラベル印刷システムの動作を説明するための図である。
【発明を実施するための形態】
【００１９】
以下に、本発明の実施形態に係る光記録媒体、ディスク装置、ラベル印刷システム及びラベル印刷方法の一例を、図面を参照しながら以下の順で説明する。なお、本発明は以下の例に限定されるものではない。
１．光記録媒体の構成
２．ディスク装置及びラベル印刷システムの構成
３．ラベル印刷時の動作
【００２０】
＜１．光記録媒体の構成＞
図１（ａ）及び（ｂ）に、本発明の一実施形態に係る光記録媒体の概略構成を示す。図１（ａ）は、本実施形態の光記録媒体の概略上面図である。なお、図１（ａ）には、光記録媒体のフォーマットの概略構成も示す。また、図１（ｂ）は、図１（ａ）中のＡ−Ａ断面図であり、光記録媒体の膜構成を示す。
【００２１】
光記録媒体１０は、例えば、再生専用、追記型または書き換え型の光ディスク等であり、媒体本体１と、媒体本体１の記録再生面１ａ上に形成されたカバー層２と、媒体本体１の記録再生面１ａとは反対側の面上に形成されたラベル層３とを備える。
【００２２】
媒体本体１（光記録媒体本体）は、図示していないが、基板上に情報の記録再生に必要な所定の層（例えば、記録層、反射層など）を所定の順序で積層して構成される。なお、情報の記録再生に必要な層（以下では情報記録層という）の構成は、例えば光記録媒体の種類等に応じて適宜変更され、それらの層は、例えば、スパッタリング、蒸着等の手法を用いて形成される。
【００２３】
カバー層２は、媒体本体１の情報記録層上に形成され、信号の記録再生面１ａを保護する。
【００２４】
また、ラベル層３（ラベル印刷層）は、所定のプリンタヘッド（例えば、サーマルプリンタヘッド、インクジェットプリンタヘッド等）でラベル印刷可能な層である。なお、ラベル層３の構成は、印刷可能なプリンタヘッドの種類に応じて適宜変更できる。
【００２５】
例えば、ラベル層３がサーマルプリンタヘッドで印刷可能な層である場合、ラベル層３は、加熱されることにより発色する発色層等で構成される。なお、発色層の構成及び形成材料は、印刷柄がカラーであるか、モノクロであるかにより異なり、それらの種類に応じて適宜変更できる。
【００２６】
次に、本実施形態の光記録媒体１０のフォーマット構成について説明する。光記録媒体１０は、図１（ａ）に示すように、内周側から、主に、リードイン領域１１、データ領域１２及びリードアウト領域１３を有する。なお、図示していないが、リードイン領域１１のさらに内周側には、例えば、ＢＣＡ（Burst Cutting Area）等が形成される。
【００２７】
リードイン領域１１は、光記録媒体１０に関する一般情報（例えば、媒体メーカーＩＤ、製品情報等）や管理情報等が記録されており、この領域は例えば半径約２１〜２３ｍｍの領域に設けられる。
【００２８】
データ領域１２は、ユーザにより所望のデータか記録される領域であり、リードイン領域１１の外周側に配置される。
【００２９】
また、リードアウト領域１３は、リードイン領域１１と同様に光記録媒体１０に関する一般情報、管理情報等が記録されており、データ領域１２の外周側に配置される。
【００３０】
上述のようなフォーマット構成において、例えば、リードイン領域１１やリードアウト領域１３等には、媒体メーカーが自由（任意）に情報記録可能（使用可能）なバイト領域（第１領域：以下、バイトアサイン領域という）が設けられている。本実施形態では、光記録媒体１０が所定のプリンタヘッドでラベル印刷が可能であることを示す情報（以下、ラベル印刷可能情報という）を、このバイトアサイン領域に記録する。
【００３１】
なお、媒体フォーマット内におけるバイトアサイン領域の形成位置（領域）は、光記録媒体１０の種類や規格等に応じてより決まっている。ここで、一例として、光記録媒体１０が追記型のＢＤ（登録商標：ＢＤ−Ｒ）または書き換え型のＢＤ（登録商標：ＢＤ−ＲＥ）である場合におけるバイトアサイン領域を含む媒体フォーマットの構成を具体的に説明する。
【００３２】
ＢＤ−ＲまたはＢＤ−ＲＥでは、リードイン領域１１内に、ＰＩＣ（Permanent Information & Control）データが記録される領域が設けられる。このＰＩＣデータの中に記録されるデータの一つに、ディスクインフォメーション（ＤＩ）がある。ディスクインフォメーションの記録領域には、光記録媒体１０の例えば、媒体メーカー、ディスクサイズ、バージョン、膜構造（単層または多層）、記録方式（ハイブリッド）、記録パワー、再生パワー等に関する基本情報が記録される。また、ディスクインフォメーションの記録領域にはバイトアサイン領域も割り当てられている。
【００３３】
図２に、ＢＤ−ＲまたはＢＤ−ＲＥにおけるディスクインフォメーション領域のフォーマット（媒体フォーマット）構成の一例を示す。なお、ＢＤ−ＲまたはＢＤ−ＲＥでは、ディスクインフォメーション領域２０は、例えば、半径約２２．５〜２３．２ｍｍ付近に設けられる。また、ＢＤ−ＲまたはＢＤ−ＲＥでは、ディスクインフォメーション領域２０は、トータルで１１２バイトの領域で構成されており、上述した基本情報のそれぞれが所定のバイト領域に記録される。
【００３４】
ＢＤ−ＲまたはＢＤ−ＲＥでは、ディスクインフォメーション領域２０の第１００バイト目から第１０５バイト目までの領域２１（第２領域）が、光記録媒体１０の媒体メーカーＩＤ（媒体メーカーに関する情報：第２情報）の記録領域として割り当てられる。また、ディスクインフォメーション領域２０の第１１１バイト目の領域２２（第１領域）が、媒体メーカーが自由に使用可能なバイト領域（以下、バイトアサイン領域という）として割り当てられる。
【００３５】
それゆえ、本実施形態の光記録媒体１０がＢＤ−ＲまたはＢＤ−ＲＥである場合には、ラベル印刷可能情報は、ディスクインフォメーション領域２０の第１１１バイト目のバイトアサイン領域２２に記録される。より具体的には、例えば、第１１１バイト目のバイトアサイン領域２２のＰｒｏｄｕｃｔ  Ｒｅｖｉｓｉｏｎ  ｎｕｍｂｅｒ（製品改訂番号）に認識フラグを立てることにより、ラベル印刷可能情報を記録する。
【００３６】
本実施形態では、光記録媒体１０が所定のプリンタヘッドでラベル印刷が可能であるか否かの判別を、媒体メーカーＩＤと、バイトアサイン領域に記録されたラベル印刷可能情報とを用いて判別する。このような判別手法を用いると、より確実にラベル印刷が可能であるか否かを判別することができる。このことを、以下により具体的に説明する。
【００３７】
ディスク装置内のプリンタヘッドでラベル印刷が不可の光記録媒体が装着された場合、通常、バイトアサイン領域にラベル印刷可能情報が記録されていないので、バイトアサイン領域の情報のみでも、光記録媒体にラベル印刷が不可である判別結果が得られる。しかしながら、何らかの理由でバイトアサイン領域に誤ってラベル印刷可能情報が記録されている場合には、バイトアサイン領域の情報のみで判別した場合には誤動作が発生する。
【００３８】
それに対して、本実施形態では、光記録媒体１０にラベル印刷可能か否かの判別に、光記録媒体１０のバイトアサイン領域の情報だけでなく、媒体メーカーＩＤも用いる。現状では、例えば、サーマルプリンタヘッドで印刷可能な光記録媒体を製造するメーカーは限られている。それゆえ、本実施形態では、何らかの理由でバイトアサイン領域に誤ってラベル印刷可能情報が記録されている場合であっても、さらに媒体メーカーＩＤを判別情報に用いるので、より確実に誤動作を防止することができる。
【００３９】
＜２．ディスク装置及びラベル印刷システムの構成＞
図３に、本発明のディスク装置及びラベル印刷システムの一実施形態例の概略ブロック構成図を示す。なお、図３は、図１で説明した光記録媒体１０をディスク装置３０内に装着して駆動している状態を示す。また、図３には、主に、ラベル印刷に必要な構成部を示す。
【００４０】
ラベル印刷システム４０は、主に、ディスク装置３０と、ディスク装置３０に装着される光記録媒体１０とで構成される。なお、光記録媒体１０の構成は、図１で説明した構成と同様であるので、ここではその説明を省略する。
【００４１】
ディスク装置３０は、プリンタヘッド３１、プリンタドライバ３２、検出系３３（検出部）、判別部３６、制御部３７、回転駆動部３８及びディスクトレー３９を備える。各部の機能及び構成は、次の通りである。
【００４２】
プリンタヘッド３１は、例えば、サーマルプリンタヘッド、インクジェットプリンタヘッド等で構成され、装着された光記録媒体１０のラベル層３側に配置される。プリンタヘッド３１は、プリンタドライバ３２に接続されており、プリンタドライバ３２により駆動制御され、光記録媒体１０のラベル層３に所定のラベル柄を印刷する。
【００４３】
また、プリンタヘッド３１は、例えば図７（ｂ）に示すプリンタヘッド１０２と同様に、光記録媒体１０の搬送方向と直交する方向には、同時に印刷可能となるような構成にすることができる。なお、プリンタヘッド３１の構成はこれに限定されない。例えば、プリンタヘッド３１を光記録媒体１０の搬送方向と直交する方向に移動可能な構成にしてもよい。この場合、ラベル印刷時には、光記録媒体１０を搬送するとともに、プリンタヘッド３１をその搬送方向に直交する方向に移動させながらラベル印刷が行われる。
【００４４】
検出系３３は、光ピックアップ３４と、ラベル印刷情報取得部３５とで構成される。光ピックアップ３４は、所定波長の光を光記録媒体１０の記録再生面に照射し、情報の記録及び／又は再生を行う。光ピックアップ３４は、装着された光記録媒体１０のカバー層２側に配置される。
【００４５】
また、光ピックアップ３４は、光検出器３４ａ、光学系３４ｂ及び光源（不図示）を有する。光ピックアップ３４では、光源から出射された所定波長の光は光学系３４ｂを介して光記録媒体１０に照射され、光記録媒体１０からの反射光は光学系３４ｂを介して光検出器３４ａに入射される。
【００４６】
ラベル印刷情報取得部３５は、光ピックアップ３４により検出される光記録媒体１０のディスクインフォメーション領域２０の情報から、媒体メーカーＩＤ（第２情報）と、バイトアサイン領域に記録された情報（第１情報）とを取得する。
【００４７】
判別部３６は、ラベル印刷情報取得部３５で取得した光記録媒体１０の媒体メーカーＩＤ及びバイトアサイン領域に記録された情報に基づいて、光記録媒体１０がディスク装置３０内のプリンタヘッド３１でラベル印刷が可能であるか否かを判別する。
【００４８】
図４に、判別部３６の一構成例を示す。判別部３６は、例えば、２入力のＡＮＤ回路で構成することができる。ＡＮＤ回路の一方の入力端子３６ａには、ラベル印刷情報取得部３５で取得したバイトアサイン領域に記録された情報が入力される。そして、他方の入力端子３６ｂには、ラベル印刷情報取得部３５で取得した光記録媒体１０の媒体メーカーＩＤが入力される。
【００４９】
判別部３６は、媒体メーカーＩＤがプリンタヘッド３１で印刷可能な媒体を製造しているメーカーのものであり、且つ、バイトアサイン領域の情報がラベル印刷可能情報である場合にのみ、ラベル印刷が可能であるという判別結果を出力する。それ以外の場合には、判別部３６は、制御部３７に信号を出力しない、または、プリンタヘッド３１でラベル印刷が不可であるという判別結果を出力する。
【００５０】
制御部３７は、例えばＣＰＵ（Central Processing Unit）等の演算制御装置からなり、ディスク装置３０を構成する各部の動作を制御する。また、制御部３７には、例えばディスク装置３０に設けられたデータ入力手段や外部装置等を介して、ユーザのラベル印刷司令及び光記録媒体１０に印刷する所定のラベル柄のデータが入力される（図３中の破線矢印）。
【００５１】
回転駆動部３８は、例えばスピンドルモータ及びディスククランプ等から構成され、ディスク装置３０内に挿入された光記録媒体１０を固定し、所定の回転数で光記録媒体１０を回転駆動する。
【００５２】
ディスクトレー３９は、光記録媒体１０をディスク装置３０から脱着する際に光記録媒体１０を搬送する。なお、ディスクトレー３９は、図示しないローディング機構部（例えば、ローラなど）により駆動される。
【００５３】
＜３．ラベル印刷の動作＞
次に、本実施形態のラベル印刷システム４０の動作を図３及び５を参照しながら説明する。なお、図５は、本実施形態のラベル印刷システム４０におけるラベル印刷の手順を示すフローチャートである。
【００５４】
まず、ユーザは、ディスクトレー３９上に光記録媒体１０を載置し、光記録媒体１０をディスク装置３０内に挿入する。光記録媒体１０がディスク装置３０内に挿入されると、ローディング機構部（不図示）がディスクトレー３９を駆動して光記録媒体１０を搬送し、光記録媒体１０を回転駆動部３８のターンテーブル（不図示）上に載置する。次いで、回転駆動部３８は、光記録媒体１０をターンテーブルにチャッキング及びクランプして固定する（ステップＳ１）。そして、回転駆動部３８は、光記録媒体１０を所定の回転数で回転駆動する（ステップＳ２）。
【００５５】
次に、ディスク装置３０は、光ピックアップ３４を光記録媒体１０の内周部に移動させ、リードイン領域１１で停止する。次いで、光ピックアップ３４は、光記録媒体１０のリードイン領域１１に光照射して、フォーカスサーチを行う。この際、ディスク装置３０は、フォーカスサーチで得られる信号（フォーカスエラー信号）から、いわゆるＳ字カーブと呼ばれる光記録媒体１０の種類（例えば、ＣＤ、ＤＶＤ、ＢＤ（登録商標）等）を判別するための信号を検出する。そして、ディスク装置３０は、そのＳ字カーブの出現位置及び出方（Ｓ字カーブの出現個数）に基づいて、装着された光記録媒体１０の種類を判別する（ステップＳ３）。
【００５６】
なお、ステップＳ３において、光記録媒体１０がＢＤ（登録商標）であると判別された場合には、さらに、光記録媒体１０が記録可能な光ディスク（ＢＤ−ＲまたはＢＤ−ＲＥ）であるか、再生専用の光ディスク（ＢＤ−ＲＯＭ）であるかを判別する。これは、両者の間でトラッキングエラー信号の検出手法が異なるためである。ＢＤ−ＲまたはＢＤ−ＲＥでは、トラッキングエラー信号をプッシュプル信号から得る。それに対して、ＢＤ−ＲＯＭでは、トラッキングエラー信号をＤＰＤ(Differential Phase Detection：回折パターンずれ)信号から得る。それゆえ、ステップＳ３において光記録媒体１０がＢＤ（登録商標）であると判別された場合には、トラッキング動作を特定するために、上述のような判別を行う。
【００５７】
次いで、ディスク装置３０は、判別された光記録媒体１０の種類に対応して回転数を再設定する。そして、ディスク装置３０は、光ピックアップ３４をディスクインフォメーション領域２０に移動させ、ディスクインフォメーション（ＤＩ）を読み出す（ステップＳ４）。
【００５８】
ここで、光記録媒体１０が例えばＢＤ−Ｒである場合におけるステップＳ４の動作をより具体的に説明する。この場合には、回転駆動部３８は、光記録媒体１０を回転数２４００ｒｐｍで回転させる。次いで、ディスク装置３０は、光ピックアップ３４をディスクインフォメーション領域２０（例えば、半径約２２．５〜２３．２ｍｍの領域）に移動させ、フォーカス及びトラッキング制御を行う。これにより、ディスク装置３０内の位相同期回路（ＰＬＬ：不図示）が作動し、ディスクインフォメーションに記録された情報を再生することができる。
【００５９】
次いで、ラベル印刷情報取得部３５は、光ピックアップ３４で検出したディスクインフォメーション領域２０の情報から、光記録媒体１０の媒体メーカーＩＤと、バイトアサイン領域に記録された情報とを取得し、その情報を判別部３６に出力する。
【００６０】
次いで、判別部３６は、入力された光記録媒体１０の媒体メーカーＩＤと、バイトアサイン領域に記録された情報とに基づいて、装着された光記録媒体１０が、ディスク装置３０内のプリンタヘッド３１でラベル印刷可能か否かを判別する（ステップＳ５）。
【００６１】
判別部３６に入力された媒体メーカーＩＤがプリンタヘッド３１で印刷可能な媒体を製造しているメーカーのものであり、且つ、バイトアサイン領域の情報がラベル印刷可能情報である場合、ステップＳ５はＹＥＳ判定となる。それ以外の場合、ステップＳ５はＮＯ判定となる。
【００６２】
ステップＳ５でＹＥＳ判定となった場合、判別部３６は、プリンタヘッド３１で光記録媒体１０にラベル印刷が可能であるという情報（以下、印刷許可情報という）を制御部３７に出力する。そして、制御部３７は、その印刷許可情報を登録する（ステップＳ６）。一方、ステップＳ５でＮＯ判定となった場合、ステップＳ６の処理を行わず後述のステップＳ７に進む。
【００６３】
次いで、制御部３７は、ユーザからラベル印刷司令が入力されたか否かを判定する（ステップＳ７）。ラベル印刷司令が入力されていない場合、すなわち、ステップＳ７がＮＯ判定の場合には、ラベル印刷司令が入力されるまでステップＳ７を繰り返す。
【００６４】
一方、ラベル印刷司令が入力された場合、すなわち、ステップＳ７がＹＥＳ判定の場合には、制御部３７は、印刷許可情報が登録されているか否かを判定する（ステップＳ８）。
【００６５】
制御部３７に印刷許可情報が登録されていない場合、すなわち、ステップＳ８がＮＯ判定の場合には、ラベル印刷を行わず、ラベル印刷動作を終了する。
【００６６】
一方、制御部３７に印刷許可情報が登録されている場合、すなわち、ステップＳ８がＹＥＳ判定の場合には、制御部３７は、ラベル印刷の司令コマンド及びラベルの印刷柄データをプリンタドライバ３２に出力する。なお、この際、制御部３７は、回転駆動部３８に光記録媒体１０の回転停止のコマンドを出力する。
【００６７】
次いで、光記録媒体１０の回転が停止した後、プリンタヘッド３１は、プリンタドライバ３２により制御され、所定のラベル柄を、光記録媒体１０のラベル層３に印刷する（ステップＳ９）。この際、ディスク装置３０内のローディング機構部（不図示）が、例えば、ディスクトレー３９を駆動して光記録媒体１０を装置の外側に排出しながらラベル印刷する（図７参照）。
【００６８】
そして、所定のラベル柄が光記録媒体１０に印刷されれば、ディスク装置３０は、ラベル印刷動作を終了する。本実施形態では、このようにして、ディスク装置３０に装着された光記録媒体１０に対してラベル印刷を行う。
【００６９】
上述のように、本実施形態では、光記録媒体１０にラベル印刷可能か否かの判別に、光記録媒体１０のバイトアサイン領域の情報だけでなく、媒体メーカーＩＤも用いる。それゆえ、本実施形態では、ディスク装置３０に挿入された光記録媒体１０のラベル面に、ディスク装置３０に内蔵されたプリンタヘッド３１で印刷可能であるか否かを、より簡易な構成でより確実に判別することができる。その結果、より確実にラベル印刷時の誤動作を防止することができる。
【００７０】
上記実施形態では、所定のプリンタヘッドで光記録媒体にラベル印刷可能であることを示す情報（ラベル印刷可能情報）を、例えばディスクインフォメーション領域内のバイトアサイン領域に記録する例を説明したが、本発明はこれに限定されない。媒体メーカーが自由に情報を書き込み可能な領域であれば、任意の領域にラベル印刷可能情報を記録することができる。
【００７１】
上記実施形態では、ラベル印刷時に、光記録媒体１０の回転を停止し、プリンタヘッド３１を光記録媒体１０の搬送方向にスキャンしながらラベル印刷する例を説明したが、本発明はこれに限定されない。例えば、プリンタヘッド３１を光記録媒体１０の回転方向にスキャンさせてラベル印刷を行ってもよい。この場合、光記録媒体１０を回転させながらラベル印刷を行うことが可能になるので、ラベル印刷時に光記録媒体１０を搬出する必要がなくなる。
【００７２】
また、上記実施形態では、ディスク装置が、光記録媒体に対して情報の記録再生が可能なレコーダまたはプレーヤー等である場合について説明したが、本発明はこれに限定されない。光記録媒体のバイトアサイン領域の情報及び媒体メーカーＩＤを読み出す機構を備えるディスク装置であれば、任意の装置に本発明は適用可能であり、同様の効果が得られる。例えば、ディスク装置は、バイトアサイン領域の情報及び媒体メーカーＩＤを読み出す機構を備えるプリンタであってもよい。
【符号の説明】
【００７３】
１…媒体本体（光記録媒体本体）、２…カバー層、３…ラベル層（ラベル印刷層）、１０…光記録媒体、１１…リードイン領域、１２…データ領域、１３…リードアウト領域、２０…ディスクインフォメーション領域、２１…媒体メーカーＩＤ領域（第２領域）、２２…バイトアサイン領域（第１領域）、３０…ディスク装置、３１…プリンタヘッド、３２…プリンタドライバ、３３…検出系（検出部）、３４…光ピックアップ、３５…ラベル印刷情報取得部、３６…判別部、３７…制御部、３８…回転駆動部、３９…ディスクトレー、４０…ラベル印刷システム
【図１】
2010277622.tif 000003
【図２】
2010277622.tif 000004
【図３】
2010277622.tif 000005
【図４】
2010277622.tif 000006
【図５】
2010277622.tif 000007
【図６】
2010277622.tif 000008
【図７】
2010277622.tif 000009